(57)【要約】【課題】  ヒンジなどの固く、動きのある部材から真空断熱材を保護する構造を有する扉を備えた冷蔵庫を提供する。【解決手段】  内箱と外箱との間に断熱材が充填されてなり、正面を開口とした断熱箱体と、断熱箱体の正面の開口を塞ぐ観音式及び引出し式の複数の扉と、を有した冷蔵庫であって、扉２１は、冷蔵庫室内側の側面が開口する扁平な箱形の外板３１と、冷蔵庫前方に開口する扁平な箱形で、外板３１にそれぞれの開口側を対向させた状態で固定される内板３２と、外板３１と内板３２の間にそれらの対向面の全面に挟み込まれるように配置された真空断熱材３５と、を備え、外板３１と内板３２は、断熱箱体に回動可能に装着するためのヒンジ部５０を上下に有し、扉２１における真空断熱材３５は、ヒンジ部５０に近接する角部分を面取りされた形状に形成されている。【選択図】      図９
2020073861.tif 000002
【特許請求の範囲】
【請求項１】
正面を開口とした断熱箱体と、前記断熱箱体の正面の開口を塞ぐ扉と、を有した冷蔵庫であって、
前記扉は、前記扉内方に向かって突出する突出部と、前記突出部の突出方向に対して傾斜した傾斜部を有する第１の断熱材と、前記突出部と前記傾斜部との間に配置された第２の断熱材と、を備え、
前記突出部は、前記傾斜部に向かって突出することを特徴とする冷蔵庫。
【請求項２】
正面を開口とした断熱箱体と、前記断熱箱体の正面の開口を塞ぐ扉と、を有した冷蔵庫であって、
前記扉は、
当該扉内方に向かって突出する突出部と、
前記突出部の突出する延長線上に位置する第１の断熱材と、
前記突出部と前記第１の断熱材との間に配置された第２の断熱材と、
を備えることを特徴とする冷蔵庫。
【発明の詳細な説明】
【技術分野】
【０００１】
本発明の実施形態は、冷蔵庫に関する。
【背景技術】
【０００２】
冷蔵庫は、その断熱性能の向上および省エネルギー化を図るために、冷蔵庫本体となる断熱箱体を構成する外箱と内箱の間の空間に断熱材を挟み込んで構成されている。また、冷蔵庫の断熱箱体の開口部分を封止する扉も、外板と内板の間に断熱材を挟み込んで構成される。冷蔵庫は、断熱材として発泡ウレタンが使用されたものが多いが、近年、発泡ウレタンに代わって真空断熱材も使用されるようになっている。例えば特許文献１では、冷蔵庫の扉に発泡ウレタンと真空断熱材とを併用した技術の提案が成されている。
【先行技術文献】
【特許文献】
【０００３】
【特許文献１】特開２００６−９０６４９号公報
【発明の概要】
【発明が解決しようとする課題】
【０００４】
真空断熱材は、コア材を薄い外包フィルムで真空パックした構成とされている。この真空断熱材は、発泡ウレタンよりも断熱性能に優れているが、外包フィルムが傷付きやすく、傷が付いて破損した場合には断熱性能が著しく落ちる。冷蔵庫の回転扉等で真空断熱材を使用する場合、ヒンジのように固く、かつ、動きのあるものに触れる位置に真空断熱材を配置すると外包フィルムが破損するおそれがある。真空断熱材がヒンジなどと干渉しないようにサイズを小さくした場合、扉の内側に断熱材がない空間が増えるため、上記特許文献１のように発泡ウレタンなどを併用して断熱効果を高める必要がある。
【０００５】
本発明は、このような従来技術の問題点に鑑みて成されたものであり、ヒンジなどの固く、動きのある部材から真空断熱材を保護する構造を有する扉を備えた冷蔵庫を提供することを目的としている。
【課題を解決するための手段】
【０００６】
実施形態は、正面を開口とした断熱箱体と、前記断熱箱体の正面の開口を塞ぐ扉と、を有した冷蔵庫であって、前記扉は、前記扉内方に向かって突出する突出部と、前記突出部の突出方向に対して傾斜した傾斜部を有する第１の断熱材と、前記突出部と前記傾斜部との間に配置された第２の断熱材と、を備え、前記突出部は、前記傾斜部に向かって突出することを特徴とする。
他の実施形態は、正面を開口とした断熱箱体と、前記断熱箱体の正面の開口を塞ぐ扉と、を有した冷蔵庫であって、前記扉は、当該扉内方に向かって突出する突出部と、前記突出部の突出する延長線上に位置する第１の断熱材と、前記突出部と前記第１の断熱材との間に配置された第２の断熱材と、を備えることを特徴とする。
【図面の簡単な説明】
【０００７】
【図１】第１〜第３の実施の形態における冷蔵庫の斜視図である。
【図２】上記冷蔵庫の扉を取り外した状態の斜視図である。
【図３】第１の実施の形態における第二冷凍室扉の横断面図である。
【図４】上記第二冷凍室扉の分解斜視図である。
【図５】上記第二冷凍室扉に真空断熱材を装着した状態を外板の後方から見た斜視図である。
【図６】真空断熱材の外包フィルムを展伸した状態の平面図である。
【図７】上記真空断熱材の仕上がり状態の平面図である。
【図８】上記真空断熱材の端縁部の断面図である。
【図９】冷蔵室第一扉の斜視図である。
【図１０】冷蔵室第一扉の断面図である。
【図１１】ヒンジ受け板の斜視図である。
【図１２】外板を取り外した冷蔵室第一扉の角部の拡大斜視図である。
【図１３】外板を取り外した冷蔵室第一扉の角部の拡大図である。
【図１４】第２の実施の形態における外板を取り外した冷蔵室第一扉の角部の拡大図である。
【発明を実施するための形態】
【０００８】
以下、実施の形態を図に基づいて詳説する。
【０００９】
（第１の実施の形態）
図１及び図２に示すように、本実施形態における冷蔵庫１は、正面を開口とし、内側を複数の部屋に区画された断熱箱体３と、各部屋の正面側の開口を封止する複数の扉２１〜２６と、を備える。
【００１０】
断熱箱体３は、内箱と外箱との間に断熱材としてそれらの対向面のほぼ全面にＶＩＰ（Ｖａｃｕｕｍ  Ｉｎｓｕｌａｔｉｏｎ  Ｐａｎｅｌ）と呼ばれる真空断熱材３５を挟み込んで構成されている。なお、図２においては、説明のために冷蔵庫１の右側面板の真空断熱材３５を透過させているが、上面板、底面板、左側面板、背面板にも真空断熱材３５が配設されている。
【００１１】
この断熱箱体３は、上方から順に冷蔵室１１と、野菜室１２と、横並びの製氷室１３及び第一冷凍室１４と、第二冷凍室１５の５個の部屋に区画されている。冷蔵室１１の正面側の開口には、観音開き式の冷蔵室第一扉２１と冷蔵室第二扉２２が取り付けられている。また、野菜室１２、製氷室１３、第一冷凍室１４、第二冷凍室１５の正面側の開口には、夫々引出し式の野菜室扉２３、製氷室扉２４、第一冷凍室扉２５、第二冷凍室扉２６が取り付けられている。
【００１２】
まず、引出し式の扉の構造の説明のため、代表して第二冷凍室扉２６について説明する。図３及び図４に示すように、第二冷凍室扉２６は、外板３１と、内板３２と、スロート部材３４と、真空断熱材３５と、ガスケット３７と、取手３９と、を備える。
【００１３】
そして、第二冷凍室扉２６は、外板３１と内板３２の間に真空断熱材３５が挟み込まれており、内板３２の背面（第二冷凍室扉２６における内側に位置する面）の外周近傍にガスケット３７が嵌着され、内板３２の背面にスロート部材３４が固着されている。また、外板３１の正面には取手３９が取り付けられている。
【００１４】
図５に示すように、外板３１は、略箱形であり、正面板と側板とが交差する角部の内側に、後方に向かって立ち上がる、複数のねじ受け用の突出部３１ａが形成されている。また、突出部３１ａには、螺子が螺着されるねじ穴３１ｂが形成されている。
【００１５】
図３及び図４に示したように、内板３２は、略箱形であり、外周縁近傍の背面側にガスケット３７が嵌着されるガスケット受け部３２ａを備える。ガスケット受け部３２ａは、後方（冷蔵庫室内側）へ開口する溝が設けられた前方へ突出する突条であり、内板３２の外周縁近傍全体に形成されている。また、ガスケット受け部３２ａの正面側端面における、外板３１に装着したときに外板３１の突出部３１ａのねじ穴３１ｂに相対する位置に、ねじ穴３２ｂが形成されている。なお、図３においてガスケット受け部３２ａは、断面が略方形状とされているが、後述するガスケット３７の差込部３７ｂを差し込むことができる形状であれば、例えばＵ字状など他の形状としてもよい。
【００１６】
図６〜図８に示すように、真空断熱材３５は、グラスウールのような無機コア材１０１を外包フィルム１０５で真空パックした構造であり、外包フィルム１０５に突起物や螺子、金属や固いプラスチックのバリやエッジなどが触れると破れることがある。外包フィルム１０５が破れると、真空状態が解除されるため、著しく断熱効果が落ちる。外板３１は、図５に示したように、螺子受け用の突出部３１ａが複数形成されているため、真空断熱材３５を何ら保護せずに配置すると、突出部３１ａに、または、内板３２を外板３１に固定するための螺子４１に、または、螺子４１を突出部３１ａのねじ穴３１ｂに螺着したときに生じるバリなどに外包フィルム１０５が触れ、破れるおそれがある。なお、外包フィルム１０５としては、アルミ箔と樹脂フィルムをサンドウィッチした構造、もしくは、樹脂フィルムの表面にアルミ蒸着などによってラミネート加工を施したもの等を用いることができる。
【００１７】
そこで、本実施形態における真空断熱材３５は、外包フィルム１０５を保護するため、外周部に弾性部材３６が巻装され取着されている。弾性部材３６は、断熱効果を備えた素材であり、例えば、スポンジテープのようなソフトテープを用いることができる。このように、真空断熱材３５の外周部を弾性部材３６で覆うことにより、外板３１の突出部３１ａ等に外包フィルム１０５が直接触れることがないため、真空断熱材３５が破損することを防止できる。
【００１８】
そして、この真空断熱材３５は、外板３１及び内板３２の内側の対向面のほぼ全面に配置されて、外板３１の背面、及び、内板３２の正面に接着剤によって接着されている。また、内板３２は、内板３２のガスケット受け部３２ａの正面側端面（溝の底部）が外板３１の突出部３１ａの背面側端面に近接した状態で、螺子４１によって外板３１に固定されている。
【００１９】
ガスケット３７は、中空密閉のエアクッション部３７ａを有した枠体であり、矢尻状の差込部３７ｂを有している。さらに、ガスケット３７は、エアクッション部３７ａの後面に断熱箱体３の開口部周面に磁着するためのマグネット３７ｃを有している。このガスケット３７は柔軟材であり、差込部３７ｂを内板３２のガスケット受け部３２ａに柔軟性を利用して押し込むことで内板３２に取り付けられている。
【００２０】
スロート部材３４は、矩形の枠状をなし、内板３２に図示しない螺子や爪、スライドによる嵌合などにより取り付けられている。このスロート部材３４は、第二冷凍室扉２６の閉扉時に断熱箱体３の内側に進入して断熱箱体３の内面と重なることにより断熱箱体３内の冷気が漏洩を防止するための部材である。なお、スロート部材３４の内空側にも、例えば発泡スチロール等の断熱材４３が予め充填されている。
【００２１】
次に、観音式の扉の構造を説明するため、代表して冷蔵室第一扉２１について述べる。なお、上記引出し式扉と共通する部材には共通の符号を付して述べる。図９及び図１０に示すように、冷蔵室第一扉２１は、外板３１と、内板３２と、スロート部材３４と、ガスケット嵌合部材４５と、冷蔵室第二扉２２との間の隙間を塞ぐ回動部材３３と、真空断熱材３５と、ガスケット３７と、取手３９と、ヒンジ受け板５５と、を備える。
【００２２】
外板３１及び内板３２は、夫々扁平な箱形である。そして、内板３２は、外板３１の側壁の内側に嵌合することで外板３１と固定されている。また、外板３１及び内板３２の内側には、その対向面のほぼ全面に渡って真空断熱材３５が配置されている。内板３２の冷蔵庫１の内側に位置する側の面には、スロート部材３４が接着などによって固定されている。スロート部材３４の外方（回動部材３３側は除く。）には、ガスケット３７が嵌合されるガスケット嵌合部材４５が、外板３１及び内板３２に接着などによって固定されている。また、内板３２の冷蔵室第二扉２２側の端部近傍には、冷蔵室第一扉２１と冷蔵室第二扉２２の間の隙間を塞ぐ回動部材３３が回動可能に接続されている。
【００２３】
このような構成とされた冷蔵室第一扉２１は、上面及び底面の一側端近傍にヒンジ部５０を備えている。このヒンジ部５０には、図２に示した、断熱箱体３の軸棒１９が貫通する軸孔５１が形成されている。また、ヒンジ部５０の内側、すなわち、外板３１と内板３２の内側角部近傍には、金属などの剛性の高い素材で形成されたヒンジ受け板５５が配置されている。
【００２４】
ヒンジ受け板５５は、冷蔵室第一扉２１を断熱箱体３に回動可能に装着したときに、軸棒１９に枢着される部材である。図１１に示すように、ヒンジ受け板５５は、Ｌ字状の平面板５５ａと、平面板５５ａの一端から平面板５５ａに対して垂直に立ち上がる垂直板５５ｂと、からなる。垂直板５５ｂには、軸棒１９が貫通する軸孔５５ｃが形成されている。
【００２５】
そして、図１２に示すように、冷蔵室第一扉２１における真空断熱材３５は略直方体形状であって、外板３１及び内板３２のヒンジ部５０の近傍に位置する角部が切り取られて、隣接する２つの角部が面取りされた形状とされている。また、真空断熱材３５は、内板３２の内側に挿入でき、かつ、内板３２の内側に有るスペースをできる限り埋めることができるように、内板３２の内寸よりも僅かに小さな外寸とされている。このように真空断熱材３５を形成することにより、真空断熱材３５を内板３２の内側に挿入した状態では、上下のヒンジ部５０の間にも真空断熱材３５が入り込み、内板３２の内側において断熱材が存在しないスペースを殆ど無くすことができる。
【００２６】
さらに、冷蔵室第一扉２１において真空断熱材３５は、スロート部材３４の外寸よりも大きく形成され、スロート部材３４が固定された面の裏面において、少なくともスロート部材３４よりも広範囲に渡って配置されている。すなわち、真空断熱材３５の外周近傍位置では、スロート部材３４と真空断熱材３５が重畳された状態となっている。
【００２７】
また、図１３に示すように、真空断熱材３５は、外板３１及び内板３２に接着剤等によって接着されている。そして、ヒンジ受け板５５は、平面板５５ａの一部が内板３２と真空断熱材３５の間に入り込んでおり、真空断熱材３５と共に内板３２に接着固定されている。
【００２８】
このように本実施形態における冷蔵室第一扉２１は、真空断熱材３５の隣接する一組の角部を面取りすることにより、断熱箱体３に冷蔵室第一扉２１を取り付けたときに軸棒１９が真空断熱材３５に干渉する当接する）ことを防止できる。よって、真空断熱材３５の外包フィルム１０５が軸棒１９によって損傷することを防止できる。また、真空断熱材３５の隣接する一組の角部を面取りすることにより、冷蔵室第一扉２１における上下のヒンジ部５０の間にまで真空断熱材３５を配置できるため、断熱効果を高めることができる。
【００２９】
さらに、冷蔵室第一扉２１において真空断熱材３５は、スロート部材３４の外寸よりも大きく形成され、スロート部材３４で囲まれた領域よりも広い領域に渡って配置されていることにより、冷蔵室内の断熱効果を高めることができる。
【００３０】
また、ヒンジ受け板５５を真空断熱材３５と共に内板３２に接着固定するため、製造時の作業工程を減らすことができる。
【００３１】
なお、冷蔵室第二扉２２も冷蔵室第一扉２１と同様の構成とされており、同一の作用効果を得ることができる。また、冷蔵室第一扉２１及び冷蔵室第二扉２２における真空断熱材３５も、周りにソフトテープを巻装した構成としてもよい。
【００３２】
（第２の実施の形態）
次に、第２の実施の形態について述べる。なお、以下の実施形態においても、共通する部位に関しては共通する符号を用いて述べる。図１４に示すように、本実施形態における冷蔵室第一扉２１は、上記実施例における真空断熱材３５の面取りした部分、すなわち、ヒンジ部５０の内側に位置する空間に他の断熱材６１が配置されていることを特徴とする。他の断熱材６１としては、発泡ウレタンや発泡スチレン、スポンジ材、ソフトテープなどを使用することができる。
【００３３】
このように、真空断熱材３５の面取りした部分を埋めるように他の断熱材６１を配置することで、断熱効果をより高めることができる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１  冷蔵庫
３  断熱箱体
１１  冷蔵室
１２  野菜室
１３  製氷室
１４  第一冷凍室
１５  第二冷凍室
２１  冷蔵室第一扉
２２  冷蔵室第二扉
２３  野菜室扉
２４  製氷室扉
２５  第一冷凍室扉
２６  第二冷凍室扉
３１  外板
３１ａ  突出部
３１ｂ  ねじ穴
３２  内板
３２ａ  ガスケット受け部
３２ｂ  ねじ穴
３２ｃ  防護壁
３３  回動部材
３４  スロート部材
３５  真空断熱材
３６  弾性部材
３７  ガスケット
３７ａ  エアクッション部
３７ｂ  差込部
３７ｃ  マグネット
３９  取手
４０  接着剤
４１  螺子
４３  断熱材
４５  ガスケット嵌合部材
５０  ヒンジ部
５１  軸孔
５５  ヒンジ受け板
５５ａ  平板
５５ｂ  垂直板
５５ｃ  軸孔
６１  断熱材
１０１  コア材
１０５  外包フィルム
【図１】
2020073861.tif 000003
【図２】
2020073861.tif 000004
【図３】
2020073861.tif 000005
【図４】
2020073861.tif 000006
【図５】
2020073861.tif 000007
【図６】
2020073861.tif 000008
【図７】
2020073861.tif 000009
【図８】
2020073861.tif 000010
【図９】
2020073861.tif 000011
【図１０】
2020073861.tif 000012
【図１１】
2020073861.tif 000013
【図１２】
2020073861.tif 000014
【図１３】
2020073861.tif 000015
【図１４】
2020073861.tif 000016